(57)【特許請求の範囲】
【請求項１】
記録媒体が筒状に巻回されたロール状記録媒体を長手方向の両端から回転自在に保持する一対の保持部材と、
各上記保持部材における上記ロール状記録媒体の巻き径に応じた少なくとも３箇所の所定位置に、互いに対向する方向に突出するように設けられたつめ部と、
上記ロール状記録媒体における長手方向の長さとほぼ同等の長さでなり、上記各保持部材の互いに対向する上記つめ部同士を接続する接続部と、
上記接続部により上記ロール状記録媒体に押し当てられるよう弾性支持され、上記ロール状記録媒体の回転時に当該ロール状記録媒体の表面を摺動する塵取りパツドと
を具えることを特徴とするロール状記録媒体ホルダ。
【請求項２】
上記ロール状記録媒体は、上記記録媒体が筒状部材に巻き付けられてなり、
上記保持部材は、上記ロール状記録媒体の上記筒状部材における長手方向の両側にそれぞれ嵌め込まれたスリーブと回転自在に嵌合するようにして上記ロール状記録媒体を一体にかつ回転自在に保持する
ことを特徴とする請求項１に記載のロール状記録媒体ホルダ。
【発明の詳細な説明】
【０００１】
【発明の属する技術分野】
本発明はロール状記録媒体に関し、例えばプリンタ装置に使用される感熱タイプの印画フイルムに適用して好適である。
【０００２】
【従来の技術】
従来、例えばプリンタ装置の記録媒体としては、印画紙や感熱タイプの印画フイルム等を紙等からなる筒状の芯（以下、これをロール芯と呼ぶ）に巻き回してロール状にしたものが広く知られている。
【０００３】
そしてこのロール状の印画フイルムをプリンタ装置内の所定部位に装着することにより、当該プリンタ装置から供給される画像等を印刷されるようになされている。
【０００４】
【発明が解決しようとする課題】
ところが、このような印画フイルムは硬質であるためロール形状に維持しておくことは困難であり、例えばプリンタ装置から取り出して他の印画フイルムに交換するような場合に、当該取り出した印画フイルムが巻き解けてしまう問題があつた。
【０００５】
このため印画フイルムの取扱が煩雑になり、印画フイルムの交換作業の作業効率が著しく低下する問題があつた。
【０００６】
本発明は以上の点を考慮してなされたもので、記録媒体の交換作業の作業効率を実用上十分に向上し得るロール状記録媒体を実現しようとするものである。
【０００７】
【課題を解決するための手段】
かかる課題を解決するため本発明においては、記録媒体が筒状に巻回されたロール状記録媒体を長手方向の両端から回転自在に保持する一対の保持部材と、各保持部材におけるロール状記録媒体の巻き径に応じた少なくとも３箇所の所定位置に、互いに対向する方向に突出するように設けられたつめ部と、ロール状記録媒体における長手方向の長さとほぼ同等の長さでなり、各保持部材の互いに対向するつめ部同士を接続する接続部と、接続部によりロール状記録媒体に押し当てられるよう弾性支持され、ロール状記録媒体の回転時に当該ロール状記録媒体の表面を摺動する塵取りパツドとを設けるようにした。
【０００８】
この結果、塵取りパツドによりロール状記録媒体が巻き解けるのを防止できると共に、当該ロール状記録媒体の回転時に当該ロール状記録媒体の表面の塵を取り除くことができる。
【０００９】
【発明の実施の形態】
以下図面について、本発明の一実施の形態を詳述する。
【００１０】
図１において１は全体として印画フイルムカセツトを示し、印画フイルム２がロール芯３に巻き回されてなる印画フイルム部４がホルダ５に一体にかつ回転自在に保持されることにより構成されている。
【００１１】
この場合ホルダ５は、プラスチツク等の摩擦係数の低い材料を用いて印画フイルム部４の印画フイルム２の巻き径とほぼ同じ大きさの円形状等で形成される左右対象の保持部材６Ａ、６Ｂを有し、図２に示すように当該保持部材６Ａ、６Ｂの対向する内側の一面６Ｃ、６Ｄ上の印画フイルム部４と対応する領域には、印画フイルム部４と当該ホルダ５との接続のためのスリーブ７Ａ、７Ｂがスリーブ受け部８Ａ、８Ｂを介して設けられている。
【００１２】
このときこのスリーブ７Ａ、７Ｂは、プラスチツク等の摩擦係数の低い材料を用いて形成され、当該スリーブ７Ａ、７Ｂの印画フイルム部４のロール芯３に嵌め込まれる部位の外径は、当該ロール芯３の内径とほぼ同様の大きさに選定されている。
【００１３】
これによりこの印画フイルムカセツト１においては、ホルダ５が印画フイルム部４を一体に保持する際に、印画フイルム部４のロール芯３にスリーブ７Ａ、７Ｂが嵌め込まれ、当該ホルダ５が印画フイルム部４を回転自在に保持し得るようになされていると共に、当該ホルダ５と印画フイルム部４との間の摩擦を低減することにより当該摩擦に起因する紙粉の発生を未然に回避し得るようになされている。
【００１４】
またこのときホルダ５の各保持部材６Ａ、６Ｂには、図３及び図４に示すように、印画フイルム部４の印画フイルム２の巻き径に応じた少なくとも３箇所の所定位置に互いに対向する方向に突出するようにつめ９Ａ、９Ｂがそれぞれ設けられている。
【００１５】
これによりこの印画フイルムカセツト１においては、ホルダ５が印画フイルム部４を一体に保持した後、当該印画フイルム部４のロール芯３に巻き回された印画フイルム２が巻き解けるのを未然に防止し得るようになされている。
【００１６】
さらにこの各つめ９Ａ、９Ｂのうちの対応する各１つは、プラスチツク等の摩擦係数の低い材料を用いて印画フイルム部４の幅方向の長さとほぼ同じ長さで形成されるスポーク１０によつて接続されており、当該スポーク１０には、図３との対応部分に同一符号を付した図４に示すように、フイルム１１が接着剤等で固着され、当該フイルム１１の長手方向の先端部１１Ａには、スポンジからなり印画フイルム２の幅方向の長さとほぼ同じ長さで形成される塵取りパツド１２が接着剤等により固着されている。
【００１７】
このときこのフイルム１１は、ホルダ５の対向する各保持部材６Ａ、６Ｂの円周方向に対して先端部１１Ａを内側方向に折り返すようにして形成されることにより構成されている。
【００１８】
これによりこの印画フイルムカセツト１においては、ホルダ５が印画フイルム部４を一体に保持した後、各保持部材６Ａ、６Ｂが対応する位置関係になるように固定保持すると共に、当該印画フイルム部４の印画フイルム２に付着した塵等を取り除き得るようになされている。
【００１９】
以上の構成において、この印画フイルムカセツト１では、ホルダ５の対向する保持部材６Ａ、６Ｂの各つめ９Ａ、９Ｂによつて、例えばプリンタ装置から印画フイルム２が巻き解けることなく取り出すことができる。
【００２０】
従つてこの印画フイルムカセツト１によれば、プリンタ装置における印画フイルム２の交換作業を容易化することができ、その分当該交換作業の作業効率を実用上十分に向上させることができる。
【００２１】
以上の構成によれば、巻回された印画フイルム２に、当該印画フイルム２をその長手方向の両側から挟むように保持する保持部材６Ａ、６Ｂを有するホルダ５を設け、これら保持部材６Ａ、６Ｂにそれぞれ互いに対向する方向に突出するつめ９Ａ、９Ｂを設けるようにしたことにより、印画フイルム部４のロール芯３に巻き回された印画フイルム２が巻き解けるのを防止し得、かくして印画フイルム２の交換作業の作業効率を実用上十分に向上し得る印画フイルムカセツト１を実現することができる。
【００２２】
なお上述の実施の形態においては、保持手段としてのホルダ５にスリーブ７Ａ、７Ｂをスリーブ受け部８Ａ、８Ｂを介して設けるようにした場合について述べたが、本発明はこれに限らず、要はホルダ５と印画フイルム部４とが滑らかに回転するようにするものであれば、例えばロール芯３を摩擦係数の低い材質で形成するようにして、ホルダ５にスリーブ７Ａ、７Ｂ及びスリーブ受け部８Ａ、８Ｂを設けないようにしても良い。
【００２３】
また上述の実施の形態においては、スリーブ７Ａ、７Ｂ及びホルダ５の材質としてプラスチツクを用いるようにした場合について述べたが、本発明はこれに限らず、要は摩擦係数の低い材質であればスリーブ７Ａ、７Ｂ及びホルダ５の材質としては、この他種々の材質を適用することができる。
【００２４】
さらに上述の実施の形態においては、ホルダ５につめ９Ａ、９Ｂを保持部材６Ａ、６Ｂの印画フイルム部４の印画フイルム２の巻き径に応じた少なくとも３箇所の所定位置に互いに対向する方向に突出するように設けるようにした場合について述べたが、本発明はこれに限らず、要は印画フイルム２の巻き解けを未然に防止するものであればその形状及び形成位置は、この他種々の形状及び形成位置を適用することができる。
【００２５】
さらに上述の実施の形態においては、スポーク１０にフイルム１１を介して塵取りパツド１２をスポンジを用いて形成するようにした場合について述べたが、本発明はこれに限らず、要は印画フイルム２に付着した塵を取り除くようにするものであれば、その材質及び形状はこの他種々の材質及び形状を適用することができる。
【００２６】
【発明の効果】
上述のように本発明によれば、記録媒体が筒状に巻回されたロール状記録媒体を長手方向の両端から回転自在に保持する一対の保持部材と、各保持部材におけるロール状記録媒体の巻き径に応じた少なくとも３箇所の所定位置に、互いに対向する方向に突出するように設けられたつめ部と、ロール状記録媒体における長手方向の長さとほぼ同等の長さでなり、各保持部材の互いに対向するつめ部同士を接続する接続部と、接続部によりロール状記録媒体に押し当てられるよう弾性支持され、ロール状記録媒体が回転される際に当該ロール状記録媒体の表面を摺動する塵取りパツドとを設けるようにしたことにより、当該筒状に巻回されたロール状記録媒体が巻き解けるのを防止することができると共に当該ロール状記録媒体の回転時に当該ロール状記録媒体の表面の塵を取り除くことができ、かくして記録媒体の交換作業の作業効率を実用上十分に向上し得るロール状記録媒体ホルダを実現することができる。
【図面の簡単な説明】
【図１】本実施の形態による印画フイルムカセツトを示す分解斜視図である。
【図２】本実施の形態による印画フイルムカセツトを示す断面図である。
【図３】本実施の形態によるホルダを示す側面図である。
【図４】本実施の形態によるホルダを示す上面図である。
【符号の説明】
１……印画フイルムカセツト、２……印画フイルム、３……ロール芯、４……印画フイルム部、５……ホルダ、６Ａ、６Ｂ……保持部材、６Ｃ、６Ｄ……一面、７Ａ、７Ｂ……スリーブ、８Ａ、８Ｂ……スリーブ受け部、９Ａ、９Ｂ……つめ、１０……スポーク、１１……フイルム、１１Ａ……頭部、１２……塵取りパツド。
【図１】
0003755706.tif 000002
【図２】
0003755706.tif 000003
【図３】
0003755706.tif 000004
【図４】
0003755706.tif 000005